(57)【要約】【課題】レンズアクセサリ部材の有無や種類に依らず一定の装着感を与えるレンズ鏡筒保護キャップを提供する。【解決手段】本体底面部１１ａと本体周面部１１ｂとを有するキャップ本体１１と、本体底面部１１ａに底面が当接されると共に本体周面部１１ｂの底側内周面に外周面が当接されてキャップ本体１１内に固定され、本体周面部１１ｂよりもスラスト方向長さが短いリング周面部１２ｂを有するリング部材１２と、を備え、リング周面部１２ｂの先端面１２ｂ１がレンズ鏡筒２０の先端面２０ａの周縁部２０ａ１に当接して、本体底面部１１ａが先端面２０ａを非接触に被覆し、本体周面部１１ｂがレンズ鏡筒２０の外周面に接触して被覆するレンズ鏡筒保護キャップ１０。【選択図】図１
0003194021.tif 000002
【実用新案登録請求の範囲】
【請求項１】
レンズ鏡筒を被覆して保護するためのレンズ鏡筒保護キャップであって、
本体底面部と、前記本体底面部の周縁から該本体底面部に垂直なスラスト方向に立設された本体周面部と、を有するキャップ本体と、
前記本体底面部に底面が当接されると共に前記本体周面部の底側内周面に外周面が当接されて前記キャップ本体内に固定され、該本体周面部よりもスラスト方向長さが短いリング周面部を有するリング部材と、
を備え、
前記リング周面部の先端面が前記レンズ鏡筒の先端面の周縁部に当接して、前記本体底面部が前記レンズ鏡筒の先端面を非接触に被覆し、前記本体周面部が前記レンズ鏡筒の外周面に接触して該レンズ鏡筒の外周面を被覆することを特徴とするレンズ鏡筒保護キャップ。
【請求項２】
前記リング周面部のスラスト方向長さは、前記レンズ鏡筒の先端部に取り付けられるレンズアクセサリ部材が該レンズ鏡筒の先端面から突出するスラスト方向長さよりも長くなるように、かつ前記リング周面部の内径は前記レンズアクセサリ部材の外径よりも大きくなるように形成されていて、
前記レンズアクセサリ部材が取り付けられた前記レンズ鏡筒に対しては、前記リング部材は、前記レンズアクセサリ部材を非接触に被覆することを特徴とする請求項１に記載のレンズ鏡筒保護キャップ。
【請求項３】
前記キャップ本体は、形状変形可能な素材により形成されており、
前記リング部材は、剛性のある素材により形成されていて、該リング周面部の外周面は、前記本体周面部の底側内周面に嵌合して固定され、
前記リング周面部が前記本体周面部の底面側の形状を規定することにより、該本体周面部の形状が一定範囲に保持され、当該レンズ鏡筒保護キャップが前記レンズ鏡筒に対してスラスト方向に移動して取り付けられる際の、該リング周面部が配置されていない該本体周面部の内周面が前記レンズ鏡筒の外周面に嵌合することによって生じる着脱力量を一定に維持することを特徴とする請求項１に記載のレンズ鏡筒保護キャップ。
【請求項４】
前記リング部材は、前記リング周面部の前記底面と一体的に前記本体底面部に当接されるリング底面部をさらに有し、前記リング周面部は該リング底面部の周縁からスラスト方向に立設されており、前記リング周面部の先端面が前記レンズ鏡筒の先端面の周縁部に当接したところで、該リング底面部が前記レンズ鏡筒の先端面を非接触に被覆することを特徴とする請求項３に記載のレンズ鏡筒保護キャップ。
【請求項５】
前記キャップ本体は、成型された皮革により構成されていることを特徴とする請求項３に記載のレンズ鏡筒保護キャップ。
【考案の詳細な説明】
【技術分野】
【０００１】
本考案は、レンズ鏡筒を被覆して保護するためのレンズ鏡筒保護キャップに関する。
【背景技術】
【０００２】
カメラのレンズ鏡筒を被覆して保護するためのレンズ鏡筒保護キャップは、従来より種々のものが提案されている。
【０００３】
レンズ鏡筒保護キャップとして、例えば、皮革（人工皮革等も含む）を成型して作成した革製のレンズ鏡筒保護キャップが製品化されている。こうした革製のレンズ鏡筒保護キャップは、高級感があり、ファッション性にも優れている特長がある。
【０００４】
このレンズ鏡筒保護キャップは、一般的に、レンズ鏡筒の先端面を保護する底面と、レンズ鏡筒の外周面の少なくとも先端側を保護する周面と、を備えた有底円筒形状をなしており、さらに詳しくは、レンズ鏡筒から自然に外れることがないように開口側が底面側よりも僅かに小径の円錐台形状となっている。そして、レンズ鏡筒保護キャップは、開口側をレンズ鏡筒の先端に対向させ、スラスト方向に移動してレンズ鏡筒に装着するようになっている。このときに、レンズ鏡筒保護キャップの内周面とレンズ鏡筒の外周面との嵌合により着脱力量が発生し、ユーザに対して適度の装着感を与えている。
【０００５】
ところで、一眼カメラの交換式レンズ鏡筒は、先端に配設された第１レンズの近傍の鏡筒本体内周面に雌ねじが設けられており、この雌ねじに対して、レンズフィルタ、レンズキャップ（レンズ鏡筒内の先端に配設された第１レンズの表面を保護するもの）、自動開閉式のレンズバリアなど（以下では、レンズアクセサリ部材という）が装着されることが多い。
【０００６】
こうしたレンズアクセサリ部材がレンズ鏡筒に既に取り付けられている場合には、レンズ鏡筒保護キャップを取り付ける際にレンズアクセサリ部材を取り外すのは面倒であるために、レンズアクセサリ部材を付けたままのレンズ鏡筒に対してレンズ鏡筒保護キャップを取り付けられることが好ましい。
【考案の概要】
【考案が解決しようとする課題】
【０００７】
しかしながら、レンズアクセサリ部材が取り付けられている場合と取り付けられていない場合とでは、レンズアクセサリ部材のスラスト方向長さ分だけ、レンズ鏡筒に対するレンズ鏡筒保護キャップの取付位置が変化するために、着脱力量が変化して、装着感が損なわれてしまう。
【０００８】
本考案は上記事情に鑑みてなされたものであり、レンズアクセサリ部材の有無や種類に依らず、一定の装着感を与えることができるレンズ鏡筒保護キャップを提供することを目的としている。
【課題を解決するための手段】
【０００９】
本考案のある態様によるレンズ鏡筒保護キャップは、レンズ鏡筒を被覆して保護するためのレンズ鏡筒保護キャップであって、本体底面部と、前記本体底面部の周縁から該本体底面部に垂直なスラスト方向に立設された本体周面部と、を有するキャップ本体と、前記本体底面部に底面が当接されると共に前記本体周面部の底側内周面に外周面が当接されて前記キャップ本体内に固定され、該本体周面部よりもスラスト方向長さが短いリング周面部を有するリング部材と、を備え、前記リング周面部の先端面が前記レンズ鏡筒の先端面の周縁部に当接して、前記本体底面部が前記レンズ鏡筒の先端面を非接触に被覆し、前記本体周面部が前記レンズ鏡筒の外周面に接触して該レンズ鏡筒の外周面を被覆する。
【考案の効果】
【００１０】
本考案のレンズ鏡筒保護キャップによれば、レンズアクセサリ部材の有無や種類に依らず、一定の装着感を与えることが可能となる。
【図面の簡単な説明】
【００１１】
【図１】本考案の実施形態１において、レンズバリアが取り付けられたレンズ鏡筒に装着されているレンズ鏡筒保護キャップの様子を示す図。
【図２】上記実施形態１において、レンズキャップが取り付けられたレンズ鏡筒に装着されているレンズ鏡筒保護キャップの様子を示す図。
【図３】上記実施形態１において、レンズフィルタが取り付けられたレンズ鏡筒に装着されているレンズ鏡筒保護キャップの様子を示す図。
【図４】本考案の実施形態２において、レンズバリアが取り付けられたレンズ鏡筒に装着されているレンズ鏡筒保護キャップの様子を示す図。
【考案を実施するための形態】
【００１２】
以下、図面を参照して本考案の実施の形態を説明する。
［実施形態１］
【００１３】
図１から図３は本考案の実施形態１を示したものであり、図１はレンズバリア３０が取り付けられたレンズ鏡筒２０に装着されているレンズ鏡筒保護キャップ１０の様子を示す図、図２はレンズキャップ４０が取り付けられたレンズ鏡筒２０に装着されているレンズ鏡筒保護キャップ１０の様子を示す図、図３はレンズフィルタ５０が取り付けられたレンズ鏡筒２０に装着されているレンズ鏡筒保護キャップ１０の様子を示す図である。
【００１４】
まず、レンズ鏡筒２０は、例えば、一眼カメラ（一眼レフレックスカメラ、一眼ミラーレスカメラ等）に交換可能に装着されるレンズ鏡筒を想定しているが、カメラ本体に固定されているレンズ鏡筒であっても構わない。
【００１５】
こうしたレンズ鏡筒２０は、一般的に複数枚のレンズを組み合わせた光学系を内蔵しているが、最も先端に配設された第１レンズの近傍の鏡筒本体内周面には雌ねじが設けられている。
【００１６】
そして、この鏡筒先端の雌ねじに対して、図１に示すような自動開閉式のレンズバリア３０、図２に示すようなレンズキャップ４０、あるいは図３に示すようなレンズフィルタ５０など（これらを、レンズアクセサリ部材という）が着脱自在に装着されるようになっている。
【００１７】
ここに、レンズバリア３０は、例えば、複数枚の羽根がカメラの電源に連動して自動開閉されるタイプのバリアである。
【００１８】
また、レンズキャップ４０は、上述した鏡筒先端の雌ねじに装着することにより、レンズ鏡筒２０の第１レンズが外部に露呈しないように保護するものであり、例えばプラスチックや金属等の素材により形成されている。
【００１９】
さらに、レンズフィルタ５０は、第１レンズを保護するためのプロテクトフィルタ、紫外線をカットするＵＶカットフィルタ、反射光の除去などに用いられる偏光フィルタ、光量を低下させるＮＤフィルタ、等の各種光学フィルタである。
【００２０】
こうしたレンズアクセサリ部材が装着されているレンズ鏡筒２０、あるいはレンズアクセサリ部材が装着されていないレンズ鏡筒２０に対して、レンズ鏡筒保護キャップ１０が着脱自在に装着可能となっている。
【００２１】
このレンズ鏡筒保護キャップ１０は、レンズ鏡筒２０を被覆して保護するためのものであって、キャップ本体１１と、リング部材１２と、を備えている。
【００２２】
キャップ本体１１は、円形状の本体底面部１１ａと、この本体底面部１１ａの周縁から本体底面部１１ａに垂直なスラスト方向に立設された円筒状の本体周面部１１ｂと、を有している。ここに、本体周面部１１ｂは、レンズ鏡筒保護キャップ１０がレンズ鏡筒２０から自然に外れることがないように、例えば、開口側が底面側よりも僅かに小径の円錐台形状となっている。そして、このキャップ本体１１は、応力がなければ形状を維持するが、応力が加わると形状変形可能な素材により形成されており、好適な一例としては、成型された皮革（人工皮革等も含む）により構成されている。
【００２３】
リング部材１２は、上述したキャップ本体１１内に固定されるものとなっていて、本実施形態の構成例においては、本体底面部１１ａに当接される円形状のリング底面部１２ａと、このリング底面部１２ａの周縁からスラスト方向に立設され、底面がリング底面部１２ａと一体的に本体底面部１１ａに当接されると共に本体周面部１１ｂの底側内周面（底面側の内周面）に外周面が当接される短円筒状のリング周面部１２ｂと、を有している。
【００２４】
ここに、リング周面部１２ｂのスラスト方向長さは、本体周面部１１ｂのスラスト方向長さよりも短く形成されているが、上述したレンズアクセサリ部材（すなわち、レンズバリア３０、レンズキャップ４０、およびレンズフィルタ５０）がレンズ鏡筒２０に取り付けられているときにレンズ鏡筒２０の先端面から突出するスラスト方向長さよりも長く形成されている。さらに、リング周面部１２ｂの内径はレンズアクセサリ部材の外径よりも大きくなるように形成されている。つまり、リング周面部１２ｂのスラスト方向長さおよび内径は、常用されることが多いレンズアクセサリ部材のレンズ鏡筒２０の先端面から突出するスラスト方向長さおよび外径よりも長く／大きくなるように設計されている。
【００２５】
リング部材１２は、剛性のある素材により形成されていて、リング周面部１２ｂの外周面が、本体周面部１１ｂの底側内周面に嵌合して固定されている。これにより、リング周面部１２ｂが本体周面部１１ｂの底面側の形状を規定し、本体周面部１１ｂの形状が一定範囲に保持される。
【００２６】
こうして、本体周面部１１ｂの形状が安定化するために、レンズ鏡筒保護キャップ１０の開口側をレンズ鏡筒２０の先端に対向させて、レンズ鏡筒保護キャップ１０をスラスト方向に移動してレンズ鏡筒２０に取り付ける際には、リング周面部１２ｂが配置されていない本体周面部１１ｂの内周面がレンズ鏡筒２０の外周面に嵌合することによって生じる着脱力量が、一定に維持される。
【００２７】
そして、リング周面部１２ｂの先端面１２ｂ１がレンズ鏡筒２０の先端面２０ａの周縁部２０ａ１に当接したところで、レンズ鏡筒２０に対するレンズ鏡筒保護キャップ１０のスラスト方向の移動が停止し、レンズ鏡筒保護キャップ１０の装着が完了する。
【００２８】
このときには、本体底面部１１ａおよびリング底面部１２ａがレンズ鏡筒２０の先端面２０ａを非接触に被覆し、本体周面部１１ｂがレンズ鏡筒２０の外周面の少なくとも先端側に接触してレンズ鏡筒２０の外周面を被覆する。
【００２９】
また、レンズ鏡筒２０にレンズアクセサリ部材が取り付けられている場合には、リング部材１２は、さらに、レンズアクセサリ部材を非接触に被覆し、ひいてはレンズ鏡筒保護キャップ１０がレンズアクセサリ部材を非接触に被覆する。
【００３０】
このような実施形態１によれば、リング周面部１２ｂの先端面１２ｂ１がレンズ鏡筒２０の先端面２０ａの周縁部２０ａ１に当接した位置が、レンズ鏡筒保護キャップ１０の装着位置となるために、レンズ鏡筒２０がレンズ鏡筒保護キャップ１０に対して常に一定の挿入位置まで挿入されることになり、一定の装着感をユーザに与えることが可能となる。
【００３１】
また、リング周面部１２ｂのスラスト方向長さがレンズ鏡筒２０の先端面から突出するレンズアクセサリ部材のスラスト方向長さよりも長くなるように、かつリング周面部１２ｂの内径がレンズアクセサリ部材の外径よりも大きくなるようにリング部材１２を形成したために、リング部材１２がレンズアクセサリ部材を非接触に被覆する。こうして、レンズ鏡筒保護キャップ１０をレンズ鏡筒２０に着脱する際に、レンズアクセサリ部材はレンズ鏡筒保護キャップ１０に非接触となるために、レンズアクセサリ部材の有無や種類に依らず、常に一定の装着感を与えることができる。
【００３２】
さらに、リング周面部１２ｂの外周面を本体周面部１１ｂの底側内周面に嵌合して固定したために、例えば経年劣化や個体ばらつき等があった場合でも本体周面部１１ｂの形状が一定範囲に保持され、本体周面部１１ｂの内周面がレンズ鏡筒２０の外周面に嵌合することによって生じる着脱力量を一定に維持して、適度な装着感を常に与えることができる。
【００３３】
そして、キャップ本体１１を成型された皮革により構成する場合には、高いファッション性や高級感をレンズ鏡筒保護キャップ１０に与えることができる。
【００３４】
加えて、レンズアクセサリ部材をレンズ鏡筒２０に装着したまま、レンズ鏡筒保護キャップ１０を着脱することができるために、ユーザビリティが向上する。
【００３５】
こうして、装着時におけるレンズ鏡筒保護キャップ１０とレンズ鏡筒２０との接触部分が、レンズアクセサリ部材の有無や種類に依らず一定に保たれるために、一定の適度な装着感を常にユーザに与えることが可能となる。
【００３６】
［実施形態２］
図４は本考案の実施形態２を示したものであり、レンズバリア３０が取り付けられたレンズ鏡筒２０に装着されているレンズ鏡筒保護キャップ１０の様子を示す図である。この実施形態２において、上述の実施形態１と同様である部分については同一の符号を付すなどして説明を適宜省略し、主として異なる点についてのみ説明する。
【００３７】
上述した実施形態１は、リング部材１２を、リング底面部１２ａからリング周面部１２ｂがスラスト方向に立設される構造とした。これに対して本実施形態２は、リング底面部１２ａを省略して、リング部材１２がリング周面部１２ｂのみにより構成される構造としたものとなっている。
【００３８】
すなわち、レンズアクセサリ部材の有無に関わらずレンズ鏡筒２０がレンズ鏡筒保護キャップ１０に対して常に一定の挿入位置まで挿入されるためには、円筒状のリング周面部１２ｂは必要であるが、リング底面部１２ａはなくても構わない。そこで、本実施形態では、リング部材１２を十分な剛性をもった素材により形成することで強度上の問題をクリアして、リング部材１２がリング周面部１２ｂのみであることを可能としたものとなっている。
【００３９】
このような実施形態２によれば、上述した実施形態１とほぼ同様の効果を奏するとともに、より一層の軽量化を図ることができ、さらに、レンズ鏡筒保護キャップ１０の外形を大きくすることなくレンズアクセサリ部材を収納するためのスペースをより広く確保することができる。
【００４０】
なお、本考案は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の考案の態様を形成することができる。例えば、実施形態に示される全構成要素から幾つかの構成要素を削除しても良い。さらに、異なる実施形態にわたる構成要素を適宜組み合わせても良い。このように、考案の主旨を逸脱しない範囲内において種々の変形や応用が可能であることは勿論である。
【符号の説明】
【００４１】
１０…レンズ鏡筒保護キャップ
１１…キャップ本体
１１ａ…本体底面部
１１ｂ…本体周面部
１２…リング部材
１２ａ…リング底面部
１２ｂ…リング周面部
１２ｂ１…リング周面部の先端面
２０…レンズ鏡筒
２０ａ…レンズ鏡筒の先端面
２０ａ１…レンズ鏡筒の先端面の周縁部
３０…レンズバリア
４０…レンズキャップ
５０…レンズフィルタ
【図１】
0003194021.tif 000003
【図２】
0003194021.tif 000004
【図３】
0003194021.tif 000005
【図４】
0003194021.tif 000006